(57)【要約】 【課題】  日本人形の衣装着人形において、衣装着せ付け作業時に、衣装下に綿などの肉付けを行う姿を整える作業や衣装を止める釘打ち作業をなくし、しかも衣装着人形の特徴である振り付けを行うことができる人形並びにその製造手段を提供する。【解決手段】  人形の頭部以外の人形胴体の製作に際して、着せ付けを行う衣装のうち、振付け作業を必要としたり、袖口や裾等の重ね着形態が露出する部分である外方衣装部３（袖部（縫腋の袍）３１と、欄部３２ａを含む胴衣下方部（左右に分割）３２）と、振付け作業を必要としない前記外方衣装部以外の内方衣装部２（胴衣部２１と、重ね襟を模した襟体２２と袴２３で構成される。）に分離し、内方衣装部２と対応する胴体部を、人形の胴体形状と一致する形状に形成し、前記胴体部に内方衣装部２を接着し、しかる後外方衣装部３を内方衣装部に連結し、外方衣装部に振付け（折り目の形成）を施してなる。【選択図】図４
2006061239.tif 000002
【特許請求の範囲】
【請求項１】
着付けを行う衣装のうち、振付け作業を必要としたり、袖口や裾等の重ね着形態が露出する部分である外方衣装部と、振付け作業を必要としない前記外方衣装部以外の内方衣装部に分離し、内方衣装部と対応する胴体部を、人形の胴体形状と一致する形状に形成し、前記胴体部に内方衣装部を接着し、しかる後外方衣装部を内方衣装部に連結し、外方衣装部に振付けを施してなることを特徴とする人形の製造方法。
【請求項２】
胴体部に内方衣装部を接着する際に、木目込み構造を採用してなる請求項１記載の人形の製造方法。
【請求項３】
胴体部の肩口箇所に、別に形成した腕体を連結してなる請求項１又は２記載の人形の製造方法。
【請求項４】
人形の頭部以外を、所定形状に形成した胴体部と、前記胴体部に接着した内方衣装部と、前記内方衣装部に連結すると共に、所定の振付けを施した外方衣装部とで構成したことを特徴とする人形。
【請求項５】
胴体部に内方衣装部を接着する際に、木目込を使用してなる請求項４記載の人形。
【請求項６】
胴体部と別に所定形状に形成した腕体を、胴体部の肩口箇所に連結してなる請求項４又は５記載の人形。
【発明の詳細な説明】
【技術分野】
【０００１】
本発明は、雛人形のような日本人形の新規な構造及びその製造方法に関するものである。
【背景技術】
【０００２】
雛人形のような伝統工芸品といえる日本人形は、一般的に頭部と胴体部を各別に製作し、胴体部に衣装を施し、頭部を装着して製作されている。
【０００３】
特に胴体部への衣装の装着手段（製造手法）の相違によって、木目込人形と衣装着人形に分類されている。木目込人形は、木彫りや桐塑等で作成した胴体部に、裂地を貼り付けて、更に胴体部に彫った溝に裂地の端を埋め込んで、衣装を着ているように見せる人形である。（特許文献１、非特許文献１参照）。
【０００４】
他方衣装着人形は、木や藁で形作った胴体部に衣装を着せ付け、更に着せ付けた衣装に自然な折れ目をつけて（振付け）、衣装を自然にまとった状態を創出しているものである。勿論着せ替えはできない（特許文献２、非特許文献１参照）。
【０００５】
【特許文献１】実公平４−３６８７７号公報。この文献には、木目込人形が開示されている。
【特許文献２】実公平５−３６４６６号公報。この文献には、衣装着人形が開示されている。
【非特許文献１】日本人形協会「木目込人形：雛人形ができるまで」「衣装着人形：雛人形ができるまで」平成１６年８月１１日検索、インターネット＜ｈｔｔｐ：／／ｗｗｗ．ｎｉｎｇｙｏ−ｋｙｏｋａｉ．ｏｒ．ｊｐ／＞。この文献には、木目込人形及び衣装着人形の伝統的な製造工程が開示されている。
【発明の開示】
【発明が解決しようとする課題】
【０００６】
ところで衣装着人形は、木目込人形よりも豪華で見栄えがするものであるが、その製造が煩雑であり、また釘打ち等のどちらかというと縁起上好ましくない内部構造を備えているものである。即ち藁束などで作り出した藁胴に、更に脚部分や腕部分を肉付けした針金で装着して胴体部全体（胴組み）を形成し、別に縫製した衣装を着せるものであるが、この衣装の着せ付けに際して、着せ付けと同時に胸や肩に綿などで肉付けを行い乍ら人形の姿を整えなければならなく、着せ付け自体が煩瑣な作業である。
【０００７】
更に前記の着せ付けにおいて衣装を固定するために釘等の金具を使用しているもので、この釘打ちによって、釘頭が露出したり、また釘の錆が衣装に滲み出たり、或いは釘打ちを行っているという心情的な問題などの不都合がある。
【０００８】
そこで本発明は、人形の姿を整える必要が無く、しかも衣装着人形の特徴である振り付けを行うことができる新規な人形並びにその製造方法を提案したものである。
【課題を解決するための手段】
【０００９】
本発明に係る人形は、人形の頭部以外を、所定形状に形成した胴体部と、前記胴体部に接着した内方衣装部と、前記内方衣装部に連結すると共に、所定の振付けを施した外方衣装部とで構成したことを特徴とするものである。
【００１０】
また本発明に係る人形の製造方法は、着付けを行う衣装のうち、振付け作業を必要としたり、袖口や裾等の重ね着形態が露出する部分である外方衣装部と、振付け作業を必要としない前記外方衣装部以外の内方衣装部に分離し、内方衣装部と対応する胴体部を、人形の胴体形状と一致する形状に形成し、前記胴体部に内方衣装部を接着し、しかる後外方衣装部を内方衣装部に連結し、外方衣装部に振付けを施してなることを特徴とするものである。
【発明の効果】
【００１１】
本発明は、上記の構成を採用したことによって、従前の衣装着人形の製作において必要であった衣装の着せ付けに際しての胸や肩の肉付けの整形作業が不要となり、整形作業の熟練を必要とせずに一定の体形を備えた人形とすることができ、しかも人形職人の腕の発揮どころである振付けは、独自に実施することができるもので、人形の製造をより以上効率に行うことができると共に、釘打ちをなくして、釘打ちによって生ずる種々の不都合が解消されるものである。
【発明を実施するための最良の形態】
【００１２】
次に本発明の実施形態について説明する。実施形態として示した人形は、束帯姿の座位の親王雛を例としたものである。この人形は、胴体部１と、と内方衣装部２と、外方衣装部３と、腕体４と足体５で構成して人形胴体を製作し、別に常法とおりに製造した頭部Ａを装着するものである。以下各部の構成を人形の製造手順に沿って説明する。
【００１３】
胴体部１は、人形の芯となるものであるが、従前の藁胴と異なり、木目込人形の胴部と同様に桐塑や木彫りで形成する。但し人形の全体像を形成するものではなく、後述する内方衣装部２と対応する部分のみを形成する。
【００１４】
具体的には、人形の胴体１１と座位状態の脚部１２を有し、胴体１１の頂部中心に頭部装着穴１３、肩口に腕体装着穴１４、脚部１２の袴の裾対応箇所に足体装着穴１５を形成し、更に必要とする箇所に木目込用の溝（上衣用や袴用）１６を形成したものである。
【００１５】
勿論前記の胴体部１は、粘土等で所定の形状の「原型」を形成したのち、常法とおり「釜いけ」「生地おし」「乾燥」「彫塑」「筋彫り」の手順で形成しても良いし、大量生産に対応できるように樹脂の型成形で製造するようにしても良い。また木目込み用の溝１６も製造しようとする人形の衣装形態に対応して設けるものである。
【００１６】
衣装は、従前の衣装着人形の衣装のように、裁断縫製を行って衣装全体を予め製作しておくものではなく、所定の内方衣装部２と外方衣装部３に分割してなるものである。
【００１７】
即ち外方衣装部３は、振付け作業を必要としたり、袖口や裾等の重ね着形態が露出する部分で、衣装着人形の特徴が発揮される部分である。また内方衣装部２は、前記外方衣装部以外のもので、前記胴体部１に直接貼り付ける部分である。
【００１８】
具体的に内方衣装部２は、人形の胴体部分を覆う前身頃と後身頃とに対応する胴衣部２１と、重ね襟を模した襟体２２と袴２３で構成される。
【００１９】
そして襟体２２は人形首部と対応する箇所に接着し、胴衣部２１は、胴体１１を覆うように貼り付け、袴２３は脚部１２を覆うように貼り付ける。更に胴衣部２１の袖口下方部分や、袴２３の折れ皺に対応して溝１６に木目込みを行うものである。尚胴衣２１には、予めおくみ部２１ａや友襟部２１ｂを組み込んでおく。
【００２０】
特に木目込み構造を採用すると、胴衣部２１の縫い目対応箇所（衣装の場合に縫い目となる箇所）が、綺麗に仕上がることになり、しかも縫合手段よりも作業が簡素化される。更に袴２３の折れ皺２３ａも容易に形成できる。
【００２１】
内方衣装部２においては、必要に応じて後述する外方衣装部の連結に際しての連結代（縫合対応箇所、接着用糊代等）となる部分を予め設けておいても良い。
【００２２】
外方衣装部３は、従前の衣装と同様に、和紙などで裏打ちして、目打ちによる折り目加工が可能な構造に形成したもので、袖部（縫腋の袍）３１と、欄部３２ａを含む胴衣下方部（左右に分割）３２で構成され、胴体部１に貼り付けた内方衣装部２に縫合、接着、マジックテープ（登録商標）による絡着等で連結するものである。
【００２３】
腕体４は、途中の肘部分を関節構造としたもので、袖部３１の連結時に、袖部３１を通して胴体部１の腕体装着穴１４に接着剤などで固定し、また足体５も足体装着穴１５に固定する。
【００２４】
尚腕体４は、その中間部分が必ずしも関節構造を備えたものに特定されるものでは無く、撓曲可能な材質のもので形成しても良いし、或いは予め所定の形状に形成したものでも良い。
【００２５】
そして外方衣装部３を内方衣装部２に連結すると、更に付属品の笏６をおくみ部２１ａに差し込み、平緒７を所定箇所に連結し、裾（きょ）を背面に装着し、同時に、振付け折れ目３３の形成並びに腕体５の位置調整を行い、人形胴体を完成させ、これに別製作の頭部Ａを装着して人形を完成させるものである。
【００２６】
本発明は前記の束帯座位の親王雛人形に特定されるものではなく、立位の人形でも、或いは親王妃（姫）人形や、官女人形、衛士人形、左右大臣人形、五人囃子人形等のその他の雛人形には勿論のこと、雛人形以外の衣装着人形の全てに対応できるものであり、内方衣装部と外方衣装部の分割は、製作しようとする人形の形態に対応して定められるものである。
【図面の簡単な説明】
【００２７】
【図１】本発明の実施形態の胴体部の全体斜視図。
【図２】同内方衣装部の装着説明図。
【図３】同内方衣装部の装着説明図（断面図）。
【図４】同外方衣装部の装着説明図。
【図５】同人形胴体完成図。
【符号の説明】
【００２８】
１          胴体部
１１        胴体
１２        脚部
１３        頭部装着穴
１４        腕体装着穴
１５        足体装着穴
１６        木目込用溝
２          内方衣装部
２１        胴衣部
２１ａ      おくみ部
２１ｂ      友襟部
２２        襟体
２３        袴
２３ａ      折れ皺
３          外方衣装部
３１        袖部（縫腋の袍）
３２        胴衣下方部
３２ａ      欄部
３３        折れ目
４          腕体
５          足体
６          笏
７          平緒
【図１】
2006061239.tif 000003
【図２】
2006061239.tif 000004
【図３】
2006061239.tif 000005
【図４】
2006061239.tif 000006
【図５】
2006061239.tif 000007